(57)【要約】      （修正有）【課題】餌の詰まりを抑制しうる給餌器を提供する。【解決手段】給餌器２は、筒体４及び取出口蓋８を備えている。この筒体４は、餌を蓄える備蓄室６２と、該備蓄室６２の下方であって筒体４の外周に形成される２箇所以上の取出口２８ａ、２８ｂと、備蓄室６２と取出口２８ａ、２８ｂとを連通する案内路６４ａ、６４ｂとを備えている。取出口２８ａ、２８ｂは、筒体４の周方向に互いに異なる位置に形成されている。案内路６４ａ、６４ｂは、上方から下方に向かって備蓄室６２の下端中心から取出口の向きに形成されている。案内路６４ａ、６４ｂの大きさは、上方から下方に向かって徐々に小さくなっている。取出口蓋８は、筒体４に取り付けられている。取出口蓋８は、移動可能にされて、取出口蓋８の開口の大きさを調整しうるようにされている。【選択図】図２
0003160674.tif 000002
【実用新案登録請求の範囲】
【請求項１】
筒体及び取出口蓋を備えており、
この筒体が餌を蓄える備蓄室と、備蓄室の下方であって筒体の外周に形成される２箇所以上の取出口と、備蓄室と取出口とを連通する案内路とを備えており、
この取出口が筒体の周方向に互いに異なる位置に形成されており、
この案内路が上方から下方に向かって備蓄室の下端中心から取出口の向きに形成されており、この案内路の大きさが上方から下方に向かって徐々に小さくなっており、
この取出口蓋が筒体に取り付けられており、取出口蓋が移動可能にされて取出口の開口の大きさを調整しうるようにされている給餌器。
【請求項２】
上記筒体が案内面を備えており、
上記備蓄室が筒体の内周面で囲まれて形成されており、
上記案内路が内周面と案内面とで囲まれて形成されており、
この案内面の上端が備蓄室の下端に位置しており、
この案内面が上方から下方の向かって備蓄室の下端中心から取出口の向きに傾斜しており、一の取出口の向きに傾斜した案内面と他の取付口の向きに傾斜した案内面とが交わって形成される稜が備蓄室の下端中心を通っている請求項１に記載の給餌器。
【請求項３】
上記取出口の下面に水平方向に拡がる平面を備える請求項１又は２に記載の給餌器。
【請求項４】
上記筒体が取出口の周方向縁に位置する枠を備えており、この枠が取出口側に開いて上下方向に延びる溝を有しており、
この溝に取出口蓋の周方向の両端部が上下方向にスライド可能に支持されており、
この取出口蓋の周方向の両端部が枠に外向きに押し付けられており、取出口蓋の周方向中央上部が筒体に内向きに押し付けられている請求項１から３のいずれかに記載の給餌器。
【請求項５】
上記筒体が内筒と外筒からなり、
この内筒の外周面と外筒の内周面とが嵌め合わされており、
この外筒と内筒との相対的な周方向位置及び上下方向位置を決める位置決め手段が備えられている請求項１から４のいずれかに記載の給餌器。
【考案の詳細な説明】
【技術分野】
【０００１】
本考案は、猫などのペットに餌を与える給餌器に関する。
【背景技術】
【０００２】
ペットに餌を与えるための給餌器は、広く知られている。実開昭５５−６５９６７号公報には、自動でペットに餌を与える給餌器が開示されている。この給餌器では、餌が器体の内部に蓄えられている。器体の下部に取出口が形成されている。
【０００３】
通常、この取出口が蓋で閉じられている。第１タイマーにより設定された時刻に蓋が回動して取出口が開けられる。更に、第２タイマーにより一定時間が経過すると、この蓋が回動して取出口が閉じられる。この給餌器では、取出口が下部に位置している。この器体の底部は円錐状にされている。餌は重力を利用して取出口に案内されている。この給餌器では、餌を取出口に向かって送る動力が必要ない。
【先行技術文献】
【特許文献】
【０００４】
【特許文献１】特実昭５５−６５９６７号公報
【考案の概要】
【考案が解決しようとする課題】
【０００５】
この給餌器では、器体の内部の空間は、取出口に向かって徐々に狭くなっている。この徐々に狭くなる空間を、重力を利用して餌が送られている。この取出口に向かう空間で、餌が詰まってしまうことがある。
【０００６】
本考案の目的は、餌の詰まりを抑制しうる給餌器の提供にある。
【課題を解決するための手段】
【０００７】
本考案に係る給餌器は、筒体及び取出口蓋を備えている。この筒体は、餌を蓄える備蓄室と、備蓄室の下方であって筒体の外周に形成される２箇所以上の取出口と、備蓄室と取出口とを連通する案内路とを備えている。この取出口は、筒体の周方向に互いに異なる位置に形成されている。この案内路は、上方から下方に向かって備蓄室の下端中心から取出口の向きに形成されている。この案内路の大きさは、上方から下方に向かって徐々に小さくなっている。この取出口蓋は、筒体に取り付けられている。取出口蓋は、移動可能にされて、取出口の開口の大きさを調整しうるようにされている。
【０００８】
好ましくは、この給餌器では、上記筒体が案内面を備えている。上記備蓄室は、筒体の内周面で囲まれて形成されている。上記案内路は、内周面と案内面とで囲まれて形成されている。この案内面の上端は、備蓄室の下端に位置している。この案内面は、上方から下方の向かって備蓄室の下端中心から取出口の向きに傾斜している。一の取出口の向きに傾斜した案内面と他の取付口の向きに傾斜した案内面とが交わって形成される稜は、備蓄室の下端中心を通っている。好ましくは、この給餌器では、上記取出口の下面に水平方向に拡がる平面を備える。
【０００９】
好ましくは、この給餌器では、上記筒体が取出口の周方向縁に位置する枠を備えている。この枠は、取出口側に開いて上下方向に延びる溝を有している。この溝に、取出口蓋の周方向の両端部が上下方向にスライド可能に支持されている。この取出口蓋の周方向の両端部は、枠に外向きに押し付けられている。取出口蓋の周方向中央上部は、筒体に内向きに押し付けられている。
【００１０】
好ましくは、この給餌器では、上記筒体が内筒と外筒からなっている。この内筒の外周面と外筒の内周面とは、嵌め合わされている。この外筒と内筒との相対的な周方向位置及び上下方向位置を決める位置決め手段が備えられている。
【考案の効果】
【００１１】
本考案に係る給餌器では、２箇所以上の取出口のうち、一の取出口で餌が詰まっても、他の取出口から餌が取り出される。他の取出口から餌を取り出すことで、一の取出口での餌の詰まりが緩和される。この給餌器は、餌が詰まることが抑制されている。
【図面の簡単な説明】
【００１２】
【図１】図１は、本考案の一実施形態に係る給餌器の分解斜視図である。
【図２】図２は、図１の給餌器の断面図である。
【図３】図３（ａ）は図２のIIIａ−IIIa 線に沿った断面図であり、図３（ｂ）は図２のIIIb−IIIb 線に沿った断面図であり、図３（ｃ）は図２のIIIc−IIIc 線に沿った断面図である。
【図４】図４は、図２のIV−IV線に沿った断面図である。
【図５】図５は、本考案の他の実施形態に係る給餌器の部分断面図である。
【考案を実施するための形態】
【００１３】
以下、適宜図面が参照されつつ、好ましい実施形態に基づいて本考案が詳細に説明される。
【００１４】
図１に示されているように、給餌器２は、筒体４、上蓋６、取出口蓋８及びトレイ１０を備えている。図２には、組み立てられた給餌器２の断面図が示されている。図２の一点鎖線Ｌは、筒体４の中心線を示している。図３には、図２のIIIａ−IIIａ線、IIIｂ−IIIｂ線及びIIIｃ−IIIｃ線に沿った断面が示されている。図３（ａ）から図３（ｃ）は、いずれも上方から見た平面断面図である。
【００１５】
図１に示されるように、筒体４は、外筒１０、内筒１２及び架台１４とからなる。図１及び図２に示されるように、この筒体４は、壁１６、枠１８、ピン２０、突起２２、壁２４及び案内板２６を備えている。
【００１６】
図３（ａ）に示されるように、外筒１０は、壁１６が円筒形状にされて形成されている。図３（ｃ）に示されるように、外筒１０の下端部に取出口２８ａ及び取出口２８ｂが形成されている。この取出口２８ａと取出口２８ｂとは、筒体４の周方向に互いに異なる位置に形成されている。ここでは、取出口２８ａと取出口２８ｂとの位置は、周方向に１８０度異なっている。取出口２８ａの周方向の両縁に、それぞれ枠１８が固定されている。同様に取出口２８ｂの周方向の両縁に、枠１８が固定されている。この枠１８は、溝２９を備えている。この溝２０は、取出口２８ａ、２８ｂ側に開いている。この溝２９は、上下方向に延びている。
【００１７】
図１に示されるように、この外筒１０の下面３０には、ピン２０が固定されている。ここでは、一対のピン２０が周方向に等間隔に固定されている。ピン２０は、１本以上いくつであってもよい。２本以上のピン２０は、周方向の等間隔で位置することが好ましい。外筒１０の外周面上部に突起２２が固定されている。ここでは、４個の突起が周方向に等間隔に固定されている。突起２２は、１個以上いくつであってもよい。
【００１８】
図３（ａ）に示されるように、内筒１２は、壁２４が円筒形状にされて形成されている。図３（ｃ）に示されるように、内筒１２の下端部は切欠３２ａ及び３２ｂが形成されている。この切欠３２ａは、取出口２８ａと連続する開口である。切欠３２ｂは、取出口２８ｂと連続する開口である。
【００１９】
図２に示されるように、この内筒１２の内周面３３の下部に、案内板２６が固定されている。この案内板２６は、案内面３４ａ及び案内面３４ｂを備えている。案内面３４ａは、上方から下方に向かって筒体４の中心から取出口２８ａの向きに傾斜している。案内面３４ｂは、上方から下方に向かって筒体４の中心から取出口２８ｂの向きに傾斜している。この案内面３４ａの上端と案内面３４ｂの上端とが連続して、稜３６が形成されている。この稜３６は、取出口２８ａと取出口２８ｂの間に位置している。この稜３６は、筒体４の中心を通っている。
【００２０】
架台１４は、上方に面する受け面３８を備えている。この受け面３８は、水平方向に拡がる平面である。この受け面３８に内筒１２の下端が固定されている。架台１４は、その側面に一対の切欠４０ａ及び４０ｂを備えている。受け面３８の縁部には、一対のピン孔４２が形成されている（図１参照）。一対のピン孔４２が周方向に等間隔に形成されている。
【００２１】
この外筒１０の内周面４４の下部と内筒１２の外周面４６とが嵌め合わされている。外筒１０の下面３０が、受け面３８に当接している。ピン２０がピン孔４２に差し込まれている。この下面３０と受け面３８とが上下方向の位置決め手段として機能している。このピン２０とピン孔４２とが周方向位置決め手段として機能している。ここでは、外筒１０の内周面４４及び内筒１２の外周面４６の水平断面は円形であるが、これを多角形にしてもよい。多角形にされた給餌器では、この外周面が周方向位置決め手段として機能しうる。ここでは、外筒１０と内筒１２とからなっているが、筒体４は一つの筒からなってもよい。
【００２２】
上蓋６は、蓋枠４８及びシールド５０を備えている。蓋枠４８の上部中央には、窓５２が形成されている。シールド５０は、例えば、透明なエンジニアリング樹脂からなる。このシールド５０は、窓５２に嵌められて固定されている。蓋枠４８の縁５４の内周面が外筒１０の外周面上部に嵌め合わされている。図示されないが、この縁５４の内周面には凹部が形成されている。この凹部が筒体４の突起２２と係合している。上蓋６は、筒体４に取り付けられている。
【００２３】
図４に示されるように、取出口蓋８は、蓋本体５６及び把手５８を備えている。蓋本体５６は、例えば、透明なエンジニアリング樹脂からなる。把手５８は、筒体４の周方向において蓋本体５６の中央であって、蓋本体５６の上部に固定されている。この取出口蓋８では、筒体４の周方向の端部が、溝２９に差し込まれている。取出口蓋８は、枠１８に上下方向にスライド可能に支持されている。
【００２４】
この蓋本体５６は、筒体４の周方向に所定の曲率半径で湾曲させられている。この曲率半径は、外筒１０の外周面の曲率半径より大きくされている。これにより、取出口蓋８の周方向の中央上部は、外筒１０の外周面に内向きの力Ｐ１で押し付けられている。取出口蓋８の周方向の両端部が枠１８に外向きの力Ｐ２で押し付けられている。
【００２５】
図１及び図２に示されるように、トレイ１０は、餌を受ける容器である。トレー１０は、縁６０を備えている。一方のトレイ１０の縁６０は、切欠４０ａに嵌められている。他方のトレイ１０の縁６０は、切欠４０ｂに嵌められている。この様にして、トレー１０は、筒体４に取り付けられている。
【００２６】
図２に示されるように、この給餌器２は、備蓄室６２、案内路６４ａ及び６４ｂを備えている。備蓄室６２は、外筒１０の内周面４４のうち内筒１２の上端より上の部分と、内筒１２の内周面３３のうち案内面３４ａ及び３４ｂの上端より上の部分とに囲まれた空間である。
【００２７】
案内路６４ａは、内筒１２の内周面３３及び案内面３４ａで囲まれた空間である。この案内路６４ａは、上方から下方に向かって中心から取出口に向きに形成されている。案内路６４ａの大きさは、図３（ａ）から図３（ｃ）に示されるように、上方から下方に向かって徐々に小さくなっている。
【００２８】
図３（ａ）及び図３（ｂ）に示されるように、案内面３４ａと内周面３３とは、接続面６５を介して連続している。この接続面６５は、案内面３４ａと内周面３３と間の隅に形成されている。案内面３４ａと内周面３３と接続面６５とは、滑らかに連続して形成されている。この接続面６５により、案内面３４ａと内周面３３との最小隙間は、餌が挟まらない所定の大きさ以上とされている。案内路６４ｂも案内路６４ａと同様に構成されている。
【００２９】
図２に示されるように、この取出口２８ａの下面には、水平方向の拡がる平面６６が形成されている。この給餌器２では、この平面６６は、受け面３８の一部分である。取出口２８ｂもこの取出口２８ａと同様に構成されている。
【００３０】
給餌器２の上蓋６が外される。備蓄室６２にペレット型の餌が投入される。餌が備蓄室６２、案内路６４ａ及び案内路６４ｂに充填される。上蓋６が筒体４に取り付けられる。取出口２８ａ及び２８ｂの開口の大きさは、取出口蓋８により調整されている。この開口の大きさは、取出口蓋８が上下方向にスライドして調整される。開口の大きさは、上下方向の開口巾を変えて調整されている。
【００３１】
取出口２８ａ及び２８ｂの開口の大きさは、餌が自然に取出口２８ａ及び２８ｂからこぼれ落ちない大きさであり、ペッドが餌を前足で掻き出せる大きさである。ペットが餌を掻き出したときに、こぼれ落ちる餌の量が多ければ、開口巾が狭められる。この量が少なければ、この開口巾が拡げられる。このようにして、餌の落ちる量に合わせて開口の大きさが調整可能にされている。
【００３２】
備蓄室６２、案内路６４ａ及び案内路６４ｂに充填された餌には、その上方の餌の質量が働く。案内路６４ａ及び案内路６４ｂの開口の大きさが上方から下方に向かって小さくなる。これにより、餌がこぼれ落ち難くされている。これにより、餌が散らかることが抑制されている。
【００３３】
この取出口２８ａから餌が掻き出されると、案内路６４ａの餌が取出口２８ａに向かって送られる。備蓄室６２の餌が案内路６４ａに向かって移動する。これにより、備蓄室６２の餌が動く。
【００３４】
案内路６４ａで餌が詰まってしまうと、取出口２８ａから餌が掻き出せなくなる。このとき、取出口２８ｂから餌が掻き出される。これにより、備蓄室６２の餌が案内路６４ｂに向かって移動する。この備蓄室６２内の餌の僅かな動きに起因して、案内路６４ａの餌の詰まりが緩和される。取出口２８ｂから餌が掻き出されることで、やがて、案内路６４ａの餌の詰まりが解消される。案内路６４ｂで餌が詰まると、今度は取出口２８ａから餌が掻き出される。これにより、案内路６４ｂでの餌の詰まりがやがて解消される。
【００３５】
この観点から、給餌器２では、２箇所の取出口２８ａ、２８ｂが設けられているが、３箇所以上の複数の取出口が形成されてもよい。２箇所以上の取出口が周方向互いに異なる位置に形成されればよい。
【００３６】
この給餌器２では、取出口２８ａ及び２８ｂの下面に平面６６が形成されている。この給餌器２は、餌が取出口２８ａ及び２８ｂに留まり易い。これにより、餌が取出口２８ａ及び２８ｂから、更にこぼれ落ち難くされている。
【００３７】
接続面６５により、案内面３４ａと内周面３３との最小間隔が所定の大きさ以上とされているので、案内面３４ａと内周面３３との間の隅に、餌が詰まることが抑制されている。この観点から、この所定の大きさは、例えば、餌の外径以上であることが好ましい。
【００３８】
この給餌器２では、シールド５０が透明なので、餌の残量が容易に確認できる。上蓋６が取り付けられることで、餌が湿気ることが抑制されている。取出口蓋８が透明なので、ペッドが餌を認識し易い。
【００３９】
この給餌器２では、ピン２０とピン孔４２との組み合わせで周方向の位置決めがされている。ピン２０とピン孔４２とは、周方向に等間隔に位置するので、その組み合わせを変えることができる。例えば、取出口２８ａと切欠３２ｂとを連続させて、取出口２８ｂと切欠３２ａとを連続させることができる。この給餌器２では、外筒１０と内筒１２との相対的位置を変更して周方向の位置決めがされうる。
【００４０】
この給餌器２では、外筒１０が内筒１２に着脱可能にされている。これにより、給餌器２は、分解が容易にされている。この給餌器２は、水洗いなどが容易にできる。
【００４１】
この給餌器２は、特に猫などのように、前足で餌を掻き出して食べる習性を持つペッドに適している。この給餌器２では、飼い主は前足で餌を掻き出すペッドの様子を観賞しうる。
【００４２】
図５には、本考案の他の実施形態に係る給餌器６８の一部分の断面が示されている。ここでは、給餌器２と異なる部分が説明される。その他の構成は、給餌器２と同様であり、その説明が省略される。
【００４３】
この給餌器６８は、取出口蓋７０を備えている。取出口蓋７０は、蓋本体７２及び把手７４を備えている。この把手７４は、蓋本体７０にねじ込まれている。この把手７４がねじ込まれることで、把手７４の先端が外筒１０に確実に押し付けられる。把手７４の上下方向の位置決めが確実にされうる。ここでは、把手７４をねじ込む構成したが、把手と別にねじを備えてもよい。
【００４４】
また、図示されないが、蓋本体７２と外筒１０とのいずれか一方に上下方向に複数の凹部を設け、他方に差し込まれたピンを設けてもよい。このピンが複数の凹部のいずれかに差し込まれることで位置決めされてもよい。
【００４５】
この給餌器２は、現在市販されている猫用粒状固形型の餌の全てに使用できる。
【符号の説明】
【００４６】
２、６８・・・給餌器
４・・・筒体
６・・・上蓋
８、７０・・・取出口蓋
１０・・・外筒
１２・・・内筒
１４・・・架台
１６、２４・・・壁
１８・・・枠
２０・・・ピン
２２・・・突起
２６・・・案内板
２８ａ、２８ｂ・・・取出口
２９・・・溝
３２ａ、３２ｂ・・・切欠
３３、４４・・・内周面
３４ａ、３４ｂ・・・案内面
３６・・・稜
３８・・・受け面
４０ａ、４０ｂ・・・切欠
４２・・・ピン孔
４６・・・外周面
４８・・・蓋枠
５０・・・シールド
５２・・・窓
５４・・・縁
５６、７２・・・蓋本体
５８、７４・・・把手
６０・・・縁
６２・・・備蓄室
６４ａ、６４ｂ・・・案内路
６６・・・平面
【図１】
0003160674.tif 000003
【図２】
0003160674.tif 000004
【図３】
0003160674.tif 000005
【図４】
0003160674.tif 000006
【図５】
0003160674.tif 000007